(57)【要約】【課題】表示放電が正しく起こりかつアドレス放電が起こり易いパネル構造の実現を目的とする。【解決手段】複数の第１の行電極と複数の第２の行電極と複数の列電極とが配列された画面を有し、第１の行電極のそれぞれと第２の行電極のそれぞれとによって表示放電のための電極対が構成され、第２の行電極と列電極とによってアドレッシングのための電極マトリクスが構成され、画面の各行において放電ガス空間が行の全長にわたって連続するプラズマディスプレイパネルにおいて、画面における隣接する列の境界での第１の行電極の幅よりも当該境界での第２の行電極の幅を大きくする。【選択図】図６
2006196223.tif 000002
【特許請求の範囲】
【請求項１】
複数の第１の行電極と複数の第２の行電極と複数の列電極とが配列された画面を有し、前記第１の行電極のそれぞれと前記第２の行電極のそれぞれとによって表示放電のための電極対が構成され、前記第２の行電極と前記列電極とによってアドレッシングのための電極マトリクスが構成され、前記画面の各行において放電ガス空間が行の全長にわたって連続するプラズマディスプレイパネルであって、
前記画面における隣接する列の境界では、前記第１の行電極の幅よりも前記第２の行電極の幅が大きい
ことを特徴とするプラズマディスプレイパネル。
【請求項２】
複数の第１の行電極と複数の第２の行電極と複数の列電極とが配列された画面を有し、前記第１の行電極のそれぞれと前記第２の行電極のそれぞれとによって表示放電のための電極対が構成され、前記第２の行電極と前記列電極とによってアドレッシングのための電極マトリクスが構成され、前記画面の各行において放電ガス空間が行の全長にわたって連続するプラズマディスプレイパネルであって、
前記第１の行電極のそれぞれは、行の全長にわたって連続した帯状の金属膜と、列ごとに独立して配置されかつそれぞれが部分的に前記金属膜と重なる複数の透明導電膜とで構成され、
前記第２の行電極のそれぞれは、行の全長にわたって連続した帯状の金属膜と、行の全長にわたって連続し前記金属膜よりも太くかつ部分的に前記金属膜と重なる帯状の透明導電膜とで構成される
ことを特徴とするプラズマディスプレイパネル。
【請求項３】
前記第１の行電極および第２の行電極を被覆し、表面に前記第１の行電極および第２の行電極の金属膜の形状に対応した凸部をもつ絶縁体層と、
放電ガス空間を少なくとも列ごとに区画するように配置され、前記絶縁体層の凸部と当接する隔壁とを備え、
前記絶縁体層と前記隔壁との間に、隣接する列の放電ガス空間と繋がって行の全長にわたって連続する放電ガス空間を形成する隙間を有する
請求項２記載のプラズマディスプレイパネル。
【請求項４】
前記絶縁体層は、化学的気相成長法によって形成された誘電体層と、前記誘電体層の表面を覆う保護膜とからなる
請求項３記載のプラズマディスプレイパネル。
【請求項５】
前記第１の行電極および第２の行電極を被覆する誘電体層と、
前記誘電体層の上に形成された複数の第３の行電極とを備える
請求項２記載のプラズマディスプレイパネル。
【発明の詳細な説明】
【技術分野】
【０００１】
本発明はプラズマディスプレイパネルに関し、表示放電を生じさせるための電極対の構成に特徴を有する。
【背景技術】
【０００２】
カラー映像の表示に面放電タイプのプラズマディスプレイパネルが用いられている。この種のプラズマディスプレイパネルは、行電極として配列された第１および第２の表示電極と、列電極として配列されたアドレス電極とを有する。第１の表示電極および第２の表示電極は、画面の行ごとに表示放電のための電極対を構成する。表示放電はセルの発光量を決める主放電である。第２の表示電極は表示放電を生じさせる役割とともに、アドレッシングにおいて行（ｒｏｗ）を選択する役割を担う。列（ｃｏｌｕｍｎ）を選択する役割はアドレス電極が担う。すなわち、第２の表示電極とアドレス電極とが、選択されたセルでアドレス放電を生じさせるための電極マトリクスを構成する。
【０００３】
また、上記プラズマディスプレイパネルは、表示電極を被覆する誘電体層と、放電ガス空間を区画する隔壁とを有する。誘電体層は、表示電極の配置された第１の基板上に画面全体にわたるように形成され、絶縁体からなる薄い保護膜で被覆される。以下では、誘電体層と保護膜との積層体を絶縁体層という。誘電体層の材質として低融点ガラスが広く知られる。低融点ガラスが十分に軟化する温度で焼成された一般的な誘電体層は電極の厚さによらずほぼ平坦な表面をもつ。隔壁は、一般に第１の基板と対向する第２の基板に配置され、絶縁体層と当接する。隔壁の配置パターンには、放電ガス空間を画面の列ごとに区画するストライプパターンと、セルごとに区画するメッシュパターンとがある。ストライプパターンの隔壁は列どうしの放電干渉を防止する。メッシュパターンの隔壁は列どうしおよび行どうしの放電干渉を防止する。
【０００４】
典型的なプラズマディスプレイパネルでは、上述のとおり絶縁体層の表面が平坦であるので、絶縁体層と隔壁との当接によって隔壁を挟むセル間で放電ガス空間が実質的に分断される。分断が実質的であって完全でないのは、実際には層の表面粗さおよび隔壁高さのばらつきに依存する不定の小さな隙間が絶縁体層と隔壁との間に存在するからである。また、製造において大気と放電ガスとを置換するための経路が形成されるように、隔壁の一部を低くする場合もある。一般に隔壁のパターンがメッシュパターンであればセルごとに放電ガス空間が分断され、ストライプパターンであれば列ごとに放電ガス空間が分断される。したがって、画面の各行においては、放電ガス空間は列ごとに実質的に独立している。
【０００５】
一方、画面の各行において放電ガス空間が行の全長にわたって連続するような構造をもつプラズマディスプレイパネルが知られている。特開２００３−３０８７８４号公報には、プラズマディスプレイパネルの製造に際して内部空間の排気とその後の放電ガスの充填を効率化する通気路を設けるために、絶縁体層の表面を意図的に凹凸面とすることが記載されている。
【０００６】
上記公報に開示されたプラズマディスプレイパネルは、メッシュパターンの隔壁と気相堆積法によって形成された誘電体層とを有する。気相堆積法による成膜では高低差が電極の厚さ分である下地の凹凸を反映した表面をもつ層が形成されるので、表示電極を被覆する当該誘電体層の表面には表示電極の形状に対応した凹凸がある。すなわち、当該誘電体層は表示電極に沿って行の全長にわたって連続する複数の溝をもつ。これらの溝が製造過程において通気路として利用される。
【特許文献１】特開２００３−３０８７８４号公報
【発明の開示】
【発明が解決しようとする課題】
【０００７】
放電ガス空間が画面内で列ごとに独立した構造をもつプラズマディスプレイパネルでは、異なる列に属するセル間で空間電荷の移動が起こらないので、各セルの放電で生じる空間電荷が他の列のセルでのプライミング効果に寄与しない。一方、各行において放電ガス空間が行の全長にわたって連続する構造をもつプラズマディスプレイパネルでは、列間の放電干渉の生じるおそれがある。特に、隣り合う列の一方に属するセルが点灯すべきセルであって他方に属するセルが点灯すべきでないセルである場合に、点灯すべきセルで所定回数の表示放電が起こるサステイン期間の途中で、点灯すべきでないセルで誤放電の起こることが多い。
【０００８】
本発明は、表示放電が正しく起こりかつアドレス放電が起こり易いパネル構造の実現を目的としている。
【課題を解決するための手段】
【０００９】
本発明の目的を達成するプラズマディスプレイパネルは、複数の第１の行電極と複数の第２の行電極と複数の列電極とが配列された画面を有し、前記第１の行電極のそれぞれと前記第２の行電極のそれぞれとによって表示放電のための電極対が構成され、前記第２の行電極と前記列電極とによってアドレッシングのための電極マトリクスが構成され、前記画面の各行において放電ガス空間が行の全長にわたって連続するものであり、前記画面における隣接する列の境界では前記第１の行電極の幅よりも前記第２の行電極の幅が大きいという特徴を備える。
【００１０】
アドレッシングにおいて、ある列に存在する空間電荷は、バイアスされた第２の行電極に引き寄せられて他の列に移動する。引き寄せられる空間電荷の量は、第２の行電極が太いほど多い。したがって、隣接する列の境界での第２の行電極の幅が第１の行電極の幅よりも大きい電極構造においては、第２の行電極が第１の行電極よりも列間の空間電荷の移動により大きく貢献する。
【発明の効果】
【００１１】
請求項１ないし請求項５の発明によれば、表示放電が正しく起こりかつアドレス放電が起こり易いパネル構造が実現される。
【発明を実施するための最良の形態】
【００１２】
図１はプラズマディスプレイパネルの概略構成を示し、図２は断面構造を示す。プラズマディスプレイパネル１は前面板１０と背面板２０とで構成され、縦横に並ぶ放電セルからなる画面６０を有する。前面板１０および背面板２０はともに画面６０よりも大きい厚さ３ｍｍ程度のガラス基板に電極とその他の構成要素とが固着した構造体である。前面板１０および背面板２０は重ね合わせるように対向配置され、互いに重なり合った領域の周辺部に在る平面視枠状の封着材３５によって接合されている。前面板１０と背面板２０と封着材３５とで密封された内部空間（放電ガス空間）３０に、ネオンとキセノンとを混合した放電ガスが充填されている。例えば、画面６０のサイズが対角４２インチである場合、プラズマディスプレイパネル１はおよそ９９４ｍｍ×５８５ｍｍの大きさをもつ。放電ガス空間３０の厚さ（前後方向の寸法）は１００μｍ〜２００μｍの範囲内の値である。
【００１３】
前面板１０は背面板２０に対して図１の左右に５ｍｍ程度張り出し、背面板２０は前面板１０に対して図１の上下に５ｍｍ程度張り出す。このように張り出した前面板１０および背面板２０のそれぞれの端部には、駆動ユニットとの導電接続のためのフレキシブル配線板が接合される。
【００１４】
図３は電極配列の模式図である。画面６０には、行電極である表示電極Ｘおよび表示電極Ｙと、列電極であるアドレス電極とが配列される。表示電極Ｘおよび表示電極Ｙは、ＸＹＸＹ…ＸＹＸの順に１本ずつ交互に並ぶように平行に配列され、隣り合う表示電極Ｘと表示電極Ｙの組が面放電形式の表示放電を生じさせるための電極対（陽極および陰極）を構成する。表示電極Ｘと表示電極Ｙの総数は画面６０の行数に１を加えた数である。アドレス電極は各列に１本ずつ配列される。アドレス電極の数は列数と等しい。これらアドレス電極と表示電極Ｙとでアドレッシングのための電極マトリクスが構成される。
【００１５】
図４はプラズマディスプレイパネルのセル構造を示す。図４では内部構造を判り易くするために前面板１０と背面板２０とを分離させて描いてある。
【００１６】
前面板１０は、ガラス基板１１、表示電極Ｘ，Ｙ、および絶縁体層１６から構成される。ガラス基板１１に配列された表示電極Ｘ，Ｙのそれぞれは、透明導電膜と金属膜の積層体であり、絶縁体層１６で被覆される。透明導電膜はガラス基板１１と金属膜との間に配置される。絶縁体層１６は誘電体層１７と保護膜１８の積層体である。背面板２０は、ガラス基板２１、アドレス電極Ａ、絶縁体層２４、複数の隔壁２７、および蛍光体層２８Ｒ，２８Ｇ，２８Ｂから構成される。例示の隔壁２７の配置パターンは画面を列ごとに区画するストライプパターンである。隔壁２７は列の境界を画定する。
【００１７】
図５はプラズマディスプレイパネルの要部の断面構造を示す。図５（Ａ）は図４のａ矢視断面図であり、図５（Ｂ）は図５（Ａ）のｂ−ｂ矢視断面図である。
【００１８】
図５（Ａ）のように、プラズマディスプレイパネル１においては、絶縁体層１６の表面が表示電極Ｘ，Ｙの金属膜の形状に対応した凸部をもつ凹凸面であるので、絶縁体層１６と隔壁２７との間に隙間３２が存在する。図５（Ａ）において３つの行のそれぞれに１つずつ隙間３２が存在する。また、図５（Ｂ）においては、複数の隔壁２７のそれぞれと絶縁体層１６との間に１つずつ隙間３２が存在する。これら隙間３２は隔壁間の空間３１と一体になって放電ガス空間３０を構成する。放電ガス空間３０は行の全長にわたって連続する。ただし、列の中央での放電ガス空間３０の厚さと比べて列間の境界での放電ガス空間３０の厚さは小さい。このような放電ガス空間３０では、各列と他の列との間の空間電荷の移動が可能である。
【００１９】
表面が凹凸をもつ絶縁体層１６は、誘電体層１７を気相堆積法によって形成することによって得られる。例えば二酸化珪素を１０μｍ程度の厚さに堆積させて誘電体層１７とし、その後にマグネシアを０．５μｍ程度の厚さに蒸着させて保護膜１８とする。また、低融点ガラスをその軟化点に近い温度で焼成する厚膜法によって絶縁体層１６を得ることもできる。
【００２０】
図６は表示電極および隔壁の平面形状を示す。
【００２１】
プラズマディスプレイパネル１においては表示電極Ｘの形状と表示電極Ｙの形状とが異なる。表示電極Ｘは、列ごとに独立して配置され互いに離れた複数の短冊状の透明導電膜４１と、行の全長にわたって連続する帯状の金属膜４２とで構成される。各透明導電膜４１は列の中央に配置され、平面視において隔壁２７と離れている。これに対して、表示電極Ｙは、
行の全長にわたって連続する太い帯状の透明導電膜４３と、行の全長にわたって連続する細い帯状の金属膜４４とで構成される。金属膜４４の幅は金属膜４２の幅と等しい。
【００２２】
隣接する列の境界付近、すなわち平面視において隔壁２７と重なる位置およびその近辺では、表示電極Ｘが金属膜４２のみからなるのに対して、表示電極Ｙは金属膜４４と透明導電膜４３とからなり、表示電極Ｘよりも太い。つまり、図５（Ａ）および図６からわかるように、表示電極Ｘは上述の隙間３２と重ならないのに対して、表示電極Ｙは隙間３２と重なる。したがって、表示電極Ｙがバイアスされると、空間電荷の隙間３２の通り抜け（列間移動）が促進される。
【００２３】
透明導電膜４１および透明導電膜４３は同時に形成され、その後に金属膜４２および金属膜４４が同時に形成される。透明導電膜４１および透明導電膜４３の厚さが例えば０．５μｍ程度で十分に小さいのに対して、金属膜４２および金属膜４４の厚さは例えば３μｍ程度で比較的に大きい。したがって、上述の隙間３２の寸法は金属膜４２および金属膜４４の厚さとほぼ等しい。
【００２４】
以上の構成のプラズマディスプレイパネル１による表示には広く知られるサブフレーム法が適用される。すなわち、２値発光素子であるセルによって階調を再現するために、入力画像であるフレームを所定数のサブフレームに分割する。そして、画面内の個々のセルを表示すべき階調値に応じて選択したサブフレームにおいて発光させる。
【００２５】
各サブフレームの表示に際して、発光すべきセルのみで表示放電を生じさせるために、発光すべきセルに壁電荷を形成するアドレッシングが行われる。このアドレッシングにおける行選択のためのスキャン電極として表示電極Ｙが用いられる。表示電極Ｙが列間の空間電荷の移動を促すので、あるセルでアドレス放電を起こすときに当該セルの属する列に他の列から流入した空間電荷がプライミング効果を奏する。
【００２６】
アドレッシングは１行ずつ順に行われるので、全行で一斉に表示放電を生じさせるサステインとは違って、ある行のセルにはそれ以前にアドレッシングが終了した行のセルからしか空間電荷が流入しない。したがって、アドレス放電を起こり易くする上で、当該セルが属する列だけでなく他の列からも空間電荷が流入するのが望ましい。
【００２７】
サステインにおいても表示電極Ｙによって列間の空間電荷移動が促進される。しかし、表示電極Ｘが表示電極Ｙと同じ形状である場合と比べると、本実施例の電極構成の場合には空間電荷移動の促進の程度は原理的には１／２である。
【００２８】
表示電極Ｙをスキャン電極として用いる駆動シーケンスの一例を次に示す。
【００２９】
図７はサブフレームの駆動シーケンスを示す駆動電圧波形図である。図においてアドレス電極Ａおよび表示電極Ｘに係る波形が総括的に描かれ、表示電極Ｙについては先頭行の表示電極Ｙ（１）および最終行の表示電極Ｙ（ｎ）に係る波形が描かれている。図示の波形は一例であり、振幅・極性・タイミングを種々変更することができる。パルスベース電位は接地電位に限らない。
【００３０】
各サブフレームにはリセット期間、アドレス期間、およびサステイン期間が割り当てられる。リセット期間に画面内の全セルの壁電圧を均等にする初期化が行われ、アドレス期間に表示データに応じて各セルの壁電圧を制御するアドレッシングが行われる。そして、サステイン期間において、発光すべきセルのみで表示放電を生じさせるサステインが行われる。１フレームは、初期化、アドレッシング、およびサステインを繰り返すことで表示される。
【００３１】
リセット期間において、表示電極Ｙに対して正の鈍波および負の鈍波が順に印加される。すなわち、表示電極Ｙの電位を単調に上昇させるバイアス制御および単調に降下させるバイアス制御が行われる。このとき、所定電位への到達を早めるために、表示電極Ｘにオフセットバイアスが与えられる。アドレス電極Ａの電位は、リセット期間の全体にわたって接地電位（０ボルト）に保たれる。
【００３２】
アドレス期間においては、表示電極Ｙに対して１本ずつ順にスキャンパルスＰｙが印加される。すなわち、行選択が行われる。行選択に同期して、選択行における発光すべきセルに対応したアドレス電極Ａにアドレスパルスが印加される。表示電極Ｙおよびアドレス電極Ａによって選択されたセルでアドレス放電が生じて所定の壁電荷が形成される。
【００３３】
サステイン期間においては、表示電極Ｙと表示電極Ｘとに交互に正のサステインパルスが印加される。印加ごとに発光すべきセルの表示電極間で表示放電が生じる。サステインパルスの印加の変形として、表示電極Ｙと表示電極Ｘとに極性の異なり振幅がサステイン電圧（Ｖｓ）の１／２であるパルスを同時に印加する形態がある。
【００３４】
図８は表示電極および隔壁の平面形状の他の例を示す。図８のプラズマディスプレイパネル２の構成は隔壁および表示電極の形状を除いて上述のプラズマディスプレイパネル１と同様である。
【００３５】
プラズマディスプレイパネル２における隔壁２９の配置パターンはメッシュパターンである。隔壁２９は、画面を列ごとに区画する複数の垂直壁２９１と画面を行ごとに区画する複数の水平壁２９２とが一体になった構造体である。この隔壁２９によって放電ガス空間はセルごとに区画される。しかし、垂直壁２９１を縦断する断面構造は図５（Ａ）の構造と同様であり、図５（Ａ）の隔壁２７が垂直壁２９１に置き換わった構造である。したがって、各行において放電ガス空間は行の全長にわたって連続する。
【００３６】
プラズマディスプレイパネル２においても、表示電極Ｘｂの形状と表示電極Ｙｂの形状とが異なる。表示電極Ｘｂは、列ごとに独立して配置され互いに離れた複数のＩ字状の透明導電膜４５と、行の全長にわたって連続する帯状の金属膜４６とで構成される。各透明導電膜４５は列の中央に配置され、平面視において隔壁２９の垂直壁２９１と離れている。これに対して、表示電極Ｙｂは、行の全長にわたって連続する太い梯子状の透明導電膜４７と、行の全長にわたって連続する細い帯状の金属膜４８とで構成される。金属膜４８の幅は金属膜４６の幅と等しい。
【００３７】
隣接する列の境界付近、すなわち隔壁２９の垂直壁２９１と重なる位置およびその近辺では、表示電極Ｘｂが金属膜４６のみからなるのに対して、表示電極Ｙｂは金属膜４８と透明導電膜４７とからなり、表示電極Ｘｂよりも太い。表示電極Ｘｂは垂直壁２９１の前側に存在する放電ガス空間（隙間）と重ならないのに対して、表示電極Ｙｂはその隙間と重なる。したがって、表示電極Ｙｂがバイアスされると、空間電荷の列間移動が促進される。
【００３８】
次に、空間電荷の列間移動を可能にする隙間の他の例を説明する。
【００３９】
図９はセル構造の他の例を示す。図９において図５に示された構成要素に対応する要素には図５の要素と共通の参照符号を付してある。
【００４０】
図９のプラズマディスプレイパネル３では、誘電体層１７ｃと保護膜１８ｃとからなる絶縁体層１６ｃの表面は平坦である。しかし、絶縁体層１６ｃの上に補助電極Ｚが配置されているので、絶縁体層１６ｃと隔壁２７との間に隙間３３が存在する。補助電極Ｚは表示電極Ｘおよび表示電極Ｙと平行に延び、行の全長にわたる長さをもつ。したがって、図５（Ｂ）の例と同様に、隙間３３は隔壁間の空間と一体になって行の全長にわたって連続するような放電ガス空間を形成する。
【００４１】
なお、補助電極Ｚは、表示電極Ｘと表示電極Ｙとの中間に配置され、特開２０００−１１００４７号公報に開示されているように、種々の機能の実現に有用である。例えば、サステイン動作において、表示放電を生じさせる電圧を表示電極Ｘと表示電極Ｙとの間に印加するときに、補助電極Ｚを表示電極Ｘの電位と表示電極Ｙの電位との間の電位にバイアスする。これにより、補助電極Ｚは表示電極間の電界を一様にするグリッドとして作用し、発光効率の向上に貢献する。また、サステイン動作において、周期的に表示放電を生じさせる電圧パルス列の先頭パルスの印加に同期させて、補助電極Ｚに表示放電の開始を容易にするトリガー放電を生じさせるパルスを印加する。これにより、表示放電をより確実に生じさせることができる。
【産業上の利用可能性】
【００４２】
本発明の適用によって、表示放電が正しく起こりかつアドレス放電が起こり易いパネル構造が実現されるので、本発明を適用したプラズマディスプレイパネルは、安定したカラー表示を実現するディスプレイ装置を提供する上で有用である。
【図面の簡単な説明】
【００４３】
【図１】プラズマディスプレイパネルの概略構成を示すである。
【図２】プラズマディスプレイパネルの断面構造を示す図である。
【図３】電極配列の模式図である。
【図４】プラズマディスプレイパネルのセル構造を示す図である。
【図５】プラズマディスプレイパネルの要部の断面構造を示す図である。
【図６】表示電極および隔壁の平面形状を示す図である。
【図７】サブフレームの駆動シーケンスを示す駆動電圧波形図である。
【図８】表示電極および隔壁の平面形状の他の例を示す図である。
【図９】セル構造の他の例を示す図である。
【符号の説明】
【００４４】
１，２，３    プラズマディスプレイパネル
Ｘ，Ｘｂ    表示電極（第１の行電極）
Ｙ，Ｙｂ    表示電極（第２の行電極）
Ａ    アドレス電極（列電極）
６０    画面
３０    放電ガス空間
４２，４４    金属膜
４１，４３    透明導電膜
４６，４８    金属膜
４５，４７    透明導電膜
１６，１６ｃ    絶縁体層
２７，２９    隔壁
１７，１７ｃ  誘電体層
１８，１８ｃ    保護膜
【図１】
2006196223.tif 000003
【図２】
2006196223.tif 000004
【図３】
2006196223.tif 000005
【図４】
2006196223.tif 000006
【図５】
2006196223.tif 000007
【図６】
2006196223.tif 000008
【図７】
2006196223.tif 000009
【図８】
2006196223.tif 000010
【図９】
2006196223.tif 000011